(57)【要約】【課題】無線フレーム内の任意のサブフレームをグループ化したサブフレームセット毎の上り送信電力制御を適切に行うこと。【解決手段】本発明のユーザ端末は、上り信号を送信するユーザ端末であって、無線フレーム内のサブフレームをグループ化して構成される少なくとも一つのサブフレームセットの構成情報を無線基地局から受信する受信部と、制御パラメータに基づいて前記上り信号の送信電力をサブフレームセット毎に制御する制御部と、を具備し、前記制御部は、前記構成情報に基づいて前記サブフレームセットが変更される場合、前記制御パラメータを再設定する。【選択図】図８
2015139101.tif 000002
【特許請求の範囲】
【請求項１】
上り信号を送信するユーザ端末であって、
無線フレーム内のサブフレームをグループ化して構成される少なくとも一つのサブフレームセットの構成情報を無線基地局から受信する受信部と、
制御パラメータに基づいて前記上り信号の送信電力をサブフレームセット毎に制御する制御部と、を具備し、
前記制御部は、前記構成情報に基づいて前記サブフレームセットが変更される場合、前記制御パラメータを再設定することを特徴とするユーザ端末。
【請求項２】
前記受信部は、閉ループ制御に用いられる送信電力制御（ＴＰＣ）コマンドを前記無線基地局から受信し、
前記制御パラメータは、前記ＴＰＣコマンドに基づいて決定される補正値であることを特徴とする請求項１に記載のユーザ端末。
【請求項３】
前記制御部は、前記構成情報に基づいて前記サブフレームセットが変更される場合、各サブフレームセットの前記補正値を初期値に再設定することを特徴とする請求項２に記載のユーザ端末。
【請求項４】
前記制御部は、前記構成情報に基づいて前記サブフレームセットが変更される場合、特定のサブフレームセットの前記補正値を現在値に再設定し、他のサブフレームセットの前記補正値を初期値に再設定することを特徴とする請求項２に記載のユーザ端末。
【請求項５】
前記制御部は、前記構成情報に基づいて前記サブフレームセットが変更される場合、特定のサブフレームセットの前記補正値を現在値に再設定し、他のサブフレームセットの前記補正値を前記特定のサブフレームセットの前記現在値に再設定することを特徴とする請求項２に記載のユーザ端末。
【請求項６】
前記制御部は、前記構成情報に基づいて前記サブフレームセットが変更される場合、各サブフレームセットの前記補正値を特定のサブフレームセット内で変更されなかったサブフレーム数に基づいて線形補間して再設定することを特徴とする請求項２に記載のユーザ端末。
【請求項７】
前記制御部は、前記構成情報に基づいて前記サブフレームセットが変更される場合、各サブフレームセットの前記補正値を現在値に再設定することを特徴とする請求項２に記載のユーザ端末。
【請求項８】
前記制御パラメータは、開ループ制御に用いられる送信電力オフセット、伝搬損失に乗算される係数、サウンディング参照信号用の送信電力オフセットの少なくとも１つである開ループ制御パラメータであり、
前記受信部は、前記開ループ制御パラメータの値を前記無線基地局から受信することを特徴とする請求項１に記載のユーザ端末。
【請求項９】
ユーザ端末が上り信号を送信する無線通信システムであって、
無線基地局が、無線フレーム内のサブフレームをグループ化して構成される少なくとも一つのサブフレームセットの構成情報を前記ユーザ端末に送信する送信部を具備し
前記ユーザ端末が、前記構成情報を前記無線基地局から受信する受信部と、制御パラメータに基づいて前記上り信号の送信電力をサブフレームセット毎に制御する制御部と、を具備し、
前記制御部は、前記構成情報に基づいて前記サブフレームセットが変更される場合、前記制御パラメータを再設定することを特徴とする無線通信システム。
【請求項１０】
上り信号の送信電力制御方法であって、
無線基地局において、無線フレーム内のサブフレームをグループ化して構成される少なくとも一つのサブフレームセットの構成情報をユーザ端末に送信する工程と、
前記ユーザ端末において、前記構成情報を前記無線基地局から受信する工程と、制御パラメータに基づいて前記上り信号の送信電力をサブフレームセット毎に制御する工程と、前記構成情報に基づいて前記サブフレームセットが変更される場合、前記制御パラメータを再設定する工程と、を有することを特徴とする送信電力制御方法。
【発明の詳細な説明】
【技術分野】
【０００１】
本発明は、無線通信システムにおける上り信号の送信電力制御に関する。
【背景技術】
【０００２】
従来、無線通信システムにおける複信方式として、上りリンク（ＵＬ）と下りリンク（ＤＬ）を周波数で分割する周波数分割複信（ＦＤＤ）と、上りリンクと下りリンクを時間で分割する時間分割複信（ＴＤＤ）とが知られている（例えば、非特許文献１）。ＦＤＤでは、上り信号と下り信号とが、異なる周波数で送受信される。一方、ＴＤＤでは、上り信号と下り信号とが、異なる時間で送受信される。
【０００３】
また、ＬＴＥ（Long  Term  Evolution）など、ＴＤＤを用いた無線通信システムでは、無線フレーム内における上りサブフレームと下りサブフレームとの構成（比率）を示すＵＬ−ＤＬ構成（UL-DL  Configuration）が規定される。例えば、図１では、上りサブフレームと下りサブフレームの構成を示す７つのＵＬ−ＤＬ構成０−６が示される。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００５】
一般に、ＵＬ及びＤＬのトラヒックは非対称である。また、所定期間におけるＵＬ及びＤＬのトラヒック比は一定ではなく、時間的に、あるいは、場所的に変動する。このため、ＴＤＤを用いた無線通信システムでは、あるセル（送信ポイント、無線基地局）におけるＵＬ／ＤＬのリソース構成をトラヒック変動に応じて動的に変更することにより、無線リソースを有効利用することが望まれる。
【０００６】
そこで、ＬＴＥの後継のＬＴＥアドバンスト（ＬＴＥ−Ａ）など、ＴＤＤを用いた将来の無線通信システムでは、トラヒック適応ゲインを得るために、図１に示すＵＬ−ＤＬ構成を動的に変更すること（ダイナミックＴＤＤ、Rel.12   eIMTA：enhanced  Interference  Mitigation  and  Traffic  Adaptationなどともいう）が検討されている。
【０００７】
一方、ダイナミックＴＤＤでは、隣接する無線基地局間で異なるＵＬ−ＤＬ構成が用いられる場合、当該無線基地局間で伝送方向が異なるサブフレームでは、伝送方向が同じサブフレームよりも大きな基地局間干渉（Inter-eNB  Interference、セル間干渉：Inter-cell  Interferenceともいう）が発生することが想定される。このため、無線基地局間で伝送方向が異なるサブフレームと同じサブフレームとをそれぞれグループ化して、独立した上り送信電力制御を行うことが検討されている。
【０００８】
また、上述のダイナミックＴＤＤを適用する場合に限られず、無線フレーム内でグループ化された任意のサブフレーム（以下、サブフレームセットという）毎に干渉の影響が異なることは想定される。このため、無線フレーム内の任意のサブフレームをグループ化したサブフレームセット毎に上り送信電力制御を適切に行うことが望まれている。
【０００９】
本発明はかかる点に鑑みてなされたものであり、無線フレーム内の任意のサブフレームをグループ化したサブフレームセット毎に上り送信電力制御を行う場合に適したユーザ端末、無線通信システム及び送信電力制御方法を提供することを目的とする。
【課題を解決するための手段】
【００１０】
本発明のユーザ端末は、上り信号を送信するユーザ端末であって、無線フレーム内のサブフレームをグループ化して構成される少なくとも一つのサブフレームセットの構成情報を無線基地局から受信する受信部と、制御パラメータに基づいて前記上り信号の送信電力をサブフレームセット毎に制御する制御部と、を具備し、前記制御部は、前記構成情報に基づいて前記サブフレームセットが変更される場合、前記制御パラメータを再設定することを特徴とする。
【発明の効果】
【００１１】
本発明によれば、無線フレーム内の任意のサブフレームをグループ化したサブフレームセット毎に上り送信電力制御を適切に行うことができる。
【図面の簡単な説明】
【００１２】
【図１】ＵＬ−ＤＬ構成の一例の説明図である。
【図２】ダイナミックＴＤＤの一例の説明図である。
【図３】セル間で異なるＵＬ−ＤＬ構成を用いる場合の基地局間干渉の説明図である。
【図４】サブフレームセット毎の上り送信電力制御の一例の説明図である。
【図５】サブフレームセットの説明図である。
【図６】制御パラメータに基づいて決定される上り信号の送信電力の説明図である。
【図７】サブフレームセットの変更の概念図である。
【図８】第１態様に係るユーザ端末における補正値の再設定例を示す図である。
【図９】第１態様に係るユーザ端末における補正値の再設定例を示す図である。
【図１０】第１態様に係るユーザ端末における補正値の再設定例を示す図である。
【図１１】第２態様に係るユーザ端末における開ループ制御パラメータの再設定例を示す図である。
【図１２】第２態様に係るユーザ端末における開ループ制御パラメータの再設定例を示す図である。
【図１３】第２態様に係るユーザ端末における開ループ制御パラメータの再設定例を示す図である。
【図１４】第２態様に係るユーザ端末における開ループ制御パラメータの再設定例を示す図である。
【図１５】本実施の形態に係る無線通信システムの一例を示す概略図である。
【図１６】本実施の形態に係る無線基地局の全体構成の説明図である。
【図１７】本実施の形態に係るユーザ端末の全体構成の説明図である。
【図１８】本実施の形態に係る無線基地局の詳細構成の説明図である。
【図１９】本実施の形態に係るユーザ端末の詳細構成の説明図である。
【発明を実施するための形態】
【００１３】
図２は、ダイナミックＴＤＤの一例の説明図である。なお、図１及び図２で示されるＵＬ−ＤＬ構成は、例示にすぎず、これに限られない。ダイナミックＴＤＤとは、ＵＬ−ＤＬ構成を動的（dynamic）に切り替えることである。具体的には、ダイナミックＴＤＤでは、無線基地局から準静的（semi-static）に通知されるＵＬ−ＤＬ構成が、異なるＵＬ−ＤＬ構成に動的に変更される。
【００１４】
図２では、ＳＩＢ（System  Information  Block）１により通知されたＵＬ−ＤＬ構成を動的に変更する場合が示される。ダイナミックＴＤＤでは、ＳＩＢ１で通知されたＵＬ−ＤＬ構成（図２では、ＵＬ−ＤＬ構成０）の下りサブフレーム及び特別サブフレームを上りサブフレームに変更することは認められない。
【００１５】
図２において、ＵＬ／ＤＬ構成０の下りサブフレーム（サブフレーム番号０、５）及び特別サブフレーム（サブフレーム番号６）は、他のＵＬ−ＤＬ構成１−６においても下りサブフレーム又は特別サブフレームである。このため、ＳＩＢ１により通知されるＵＬ−ＤＬ構成０は、ＵＬ−ＤＬ構成１−６のいずれにも動的に変更可能である。一方、図示しないが、ＳＩＢ１によりＵＬ−ＤＬ構成１が通知される場合、ＵＬ−ＤＬ構成２、４、５のいずれかへの動的な変更は可能であるが、ＵＬ−ＤＬ構成０、３、６への動的な変更はできない。
【００１６】
なお、特別サブフレーム（Special  Subframe）とは、下りサブフレームと上りサブフレームとの切り替え用のサブフレームであり、下りのＯＦＤＭシンボルと、上りのＯＦＤＭシンボルと、ガード区間とを含む。下りのＯＦＤＭシンボル数が相対的に多い場合、特別サブフレームは、下りサブフレームとみなすこともできる。
【００１７】
ダイナミックＴＤＤでは、図２に示すように、固定サブフレーム（Fixed  Subframe）とフレキシブルサブフレーム（Flexible  Subframe）とを設けることができる。固定サブフレームとは、ＵＬ−ＤＬ構成間において伝送方向が同一のサブフレームである。フレキシブルサブフレームとは、ＵＬ−ＤＬ構成間において伝送方向が異なるサブフレームが異なるサブフレームである。
【００１８】
なお、図２では、特別サブフレームを下りサブフレームとみなして固定サブフレーム及びフレキシブルサブフレームを区分けしているが、これに限られない。特別サブフレームを下りサブフレームとみなさない場合、サブフレーム６はフレキシブルサブフレームとして扱われてもよい。固定サブフレーム及びフレキシブルサブフレームを無線基地局（eNB：eNodeB）からＲＲＣを含む上位レイヤや報知によりシグナリングすることもできる。
【００１９】
また、ダイナミックＴＤＤでは、隣接セル間で異なるＵＬ−ＤＬ構成を用いることが想定される。図３は、隣接セル間で異なるＵＬ−ＤＬ構成を用いる場合の基地局間干渉の説明図である。図３では、無線基地局（eNB：eNodeB）１によって形成されるセル１においてＵＬ−ＤＬ構成４が用いられ、無線基地局２によって形成されるセル２においてＵＬ−ＤＬ構成３が用いられる。
【００２０】
図３に示す場合、サブフレーム４では、無線基地局１がセル１内のユーザ端末（ＵＥ：User  Equipment）１に対して下り信号を送信し、セル２内のユーザ端末２が無線基地局２に対して上り信号を送信する。一般に、下り信号の送信電力は、上り信号の送信電力よりも大きい。このため、サブフレーム４では、無線基地局１からの下り信号が、無線基地局２に対して大きな干渉を与えることになる。
【００２１】
このように、隣接セル間で異なるＵＬ−ＤＬ構成を用いる場合、セル間で伝送方向が異なるフレキシブルサブフレームでは、基地局間干渉が発生することが想定される。このため、セル間で伝送方向が異なるサブフレーム（フレキシブルサブフレーム）と伝送方向が同一のサブフレーム（固定サブフレーム）とをそれぞれグループ化して、グループ化されたサブフレーム（以下、サブフレームセット）毎に異なる上り送信電力制御を適用することが検討されている。
【００２２】
図４は、サブフレームセット毎の上り送信電力制御の一例の説明図である。図４では、図３に示すように、セル１においてＵＬ−ＤＬ構成４が用いられ、セル２においてＵＬ−ＤＬ構成３が用いられるものとする。
【００２３】
この場合、第１サブフレームセットは、セル１、２で伝送方向（上り）が同一のサブフレーム２、３（固定サブフレーム）で構成され（図４Ａ）、第２サブフレームセットは、セル１で下り信号が送信され、セル２で上り信号が送信されるサブフレーム４（フレキシブルサブフレーム）で構成される（図４Ｂ）。なお、後述するように、サブフレームセットの構成は、図４Ａ、４Ｂに示すものに限られない。
【００２４】
図４Ａに示す第１サブフレームセットでは、セル１、２の双方で上り信号が送信されるので、無線基地局２における基地局間干渉の影響は小さい。このため、第１サブフレームセットでは、ユーザ端末２は、相対的に小さい送信電力で、無線基地局２に対する上り信号を送信する。
【００２５】
一方、図４Ｂに示す第２サブフレームセットでは、セル１で下り信号が送信されるので、無線基地局２における基地局間干渉の影響が大きい。このため、第２サブフレームセットでは、ユーザ端末２は、第１サブフレームセットよりも大きな送信電力で、無線基地局２に対する上り信号を送信する。これにより、無線基地局２における上り信号の受信品質（例えば、ＳＩＮＲ：Signal-to-Interference-plus-Noise  Ratioなど）を維持することができる。
【００２６】
なお、図４では、第１サブフレームセットが固定サブフレームで構成され、第２サブフレームセットがフレキシブルサブフレームで構成されるものとしたが、これに限られない。サブフレームセットは、無線フレーム内の任意のサブフレームを含むことができる。また、サブフレームセットは、無線フレーム内の特定のサブフレーム（例えば、下りの固定サブフレーム）を除いた任意のサブフレームを含んで構成されてもよい。
【００２７】
図５は、サブフレームセットの一例の説明図である。図５では、サブフレームセットは、下りの固定サブフレーム（サブフレーム０、５）を除いた任意のサブフレーム０−９を含んで構成される。この場合、第１サブフレームセット（Subframe  set  #1）は、サブフレーム１、２、３、６、７、８を含んで構成され、第２サブフレームセット（Subframe  set  #2）は、サブフレーム４、９を含んで構成されてもよい（例１）。或いは、第１サブフレームセットは、サブフレーム１、２、３、４、６、７、８、９を含んで構成され、第２サブフレームセットは、いずれのサブフレームを含まなくともよい（例２）。
【００２８】
なお、図示しないが、第１及び第２サブフレームセットは、重複するサブフレームを含んで構成されてもよい。また、第１サブフレームセットが、第２サブフレームセットを構成するサブフレームの全部又は一部を含んで（すなわち、第２サブフレームセットを包含して）構成されてもよい。また、サブフレームセット数は、２に限られない。例えば、図５に示す例２においては、サブフレームセット数は、１とみなされてもよい。また、３以上のサブフレームセットが設けられてもよい。
【００２９】
ところで、上り送信電力制御は、開ループ制御と閉ループ制御との双方を用いて行われる。開ループ制御は、ユーザ端末と無線基地局との間の伝搬損失（path  loss）に応じた目標受信電力を満たすための制御であり、ユーザ端末によって算出される伝搬損失と、無線基地局から準静的に通知されるパラメータとに基づいて行われる。当該パラメータは、例えば、ＲＲＣ（Radio  Resource  Control）シグナリングなどの上位レイヤシグナリングにより通知される。
【００３０】
一方、閉ループ制御は、送信電力誤差を補正するための制御であり、無線基地局から動的に通知される送信電力制御（ＴＰＣ：Transmission  Power  Control）コマンドに基づいて行われる。ＴＰＣコマンドは、例えば、下り制御チャネル（ＰＤＣＣＨ：Physical  Downlink  Control  ChannelやＥＰＤＣＣＨ：Enhanced  Physical  Downlink  Control  Channel）により送信される下り制御情報（ＤＣＩ：Downlink Control Information）に含まれる。
【００３１】
図６は、開ループ制御及び閉ループ制御を用いた上り送信電力制御の一例の説明図である。図６Ａでは、上り共有チャネル（ＰＵＳＣＨ：Physical  Uplink  Shared  Channel）の送信電力の算出式が示される。図６Ａに示すように、ＰＵＳＣＨの送信電力ＰＰＵＳＣＨ（ｉ）は、例えば、式（１）によって算出される。式（１）において、ｉは、サブフレームを示すインデックスである。ｊは、スケジューリング種別を示すインデックスである。ＰＣＭＡＸは、ユーザ端末の許容最大送信電力である。
【００３２】
式（１）に示すように、ＰＵＳＣＨの送信電力の開ループ制御は、ＭＰＵＳＣＨ（ｉ）、ＰＯ＿ＰＵＳＣＨ（ｊ）、α、ＰＬ、ΔＴＦ（ｉ）に基づいて行われる。ここで、ＭＰＵＳＣＨ（ｉ）は、ＰＵＳＣＨ用に割り当てられる帯域幅である。ＰＯ＿ＰＵＳＣＨ（ｊ）は、無線基地局における目標受信電力を満たすための送信電力オフセットである。ＰＬは、ユーザ端末が下り参照信号の受信電力（例えば、ＲＳＲＰ：Reference  Signal  Received  Power）に基づいて算出する伝搬損失である。αは、伝搬損失に応じて設定される係数である。ΔＴＦ（ｉ）は、ＭＣＳ（Modulation  and  Coding  Scheme）に依存するオフセットである。
【００３３】
また、ＰＵＳＣＨの送信電力の閉ループ制御は、ｆ（ｉ）に基づいて行われる。ｆ（ｉ）は、ＴＰＣコマンドに基づく補正値である。補正値ｆ（ｉ）は、ＴＰＣコマンドが示す送信電力の増減値を累積した累積値（accumulation  value）であってもよいし、ＴＰＣコマンドが示す送信電力の増減値そのもの（absolute  value）であってもよい。
【００３４】
ここで、補正値ｆ（ｉ）が累積値である場合（累積モード）、ｆ（ｉ）は、例えば、下記式（３）によって与えられる。
【数１】
2015139101.tif 000003
式（３）において、δＰＵＳＣＨ（ｉ−ＫＰＵＳＣＨ）は、サブフレーム（ｉ−ＫＰＵＳＣＨ）のＤＣＩに含まれるＴＰＣコマンドが示す送信電力の増減値（累積される値）である。式（３）では、サブフレームｉにおける補正値ｆ（ｉ）が、サブフレーム（ｉ−１）における補正値ｆ（ｉ−１）と上記ＴＰＣコマンドが示す増減値δＰＵＳＣＨ（ｉ−ＫＰＵＳＣＨ）とに基づいて算出される。
【００３５】
一方、補正値ｆ（ｉ）が、ＴＰＣコマンドが示す送信電力の増減値そのものである場合（非累積モード）、ｆ（ｉ）は、例えば、下記式（４）によって与えられる。
【数２】
2015139101.tif 000004
式（４）において、δＰＵＳＣＨ（ｉ−ＫＰＵＳＣＨ）は、サブフレーム（ｉ−ＫＰＵＳＣＨ）のＤＣＩに含まれるＴＰＣコマンドが示す送信電力の増減値である。このように、非累積モードにおいては、式（３）とは異なり、ｆ（ｉ−１）は考慮されない。
【００３６】
図６Ｂでは、サウンディング参照信号（ＳＲＳ：Sounding  Reference  Signal）の送信電力の算出式が示される。ＳＲＳは、無線基地局において上りのチャネル品質を推定するために、ユーザ端末から送信される参照信号である。図６Ｂに示すように、ＳＲＳの送信電力ＰＳＲＳ（ｉ）は、例えば、式（２）によって算出される。
【００３７】
式（２）に示すように、ＳＲＳの送信電力の開ループ制御は、ＰＵＳＣＨの送信電力の算出に用いられる送信電力オフセットＰＯ＿ＰＵＳＣＨ（ｊ）、係数α及び伝搬損失ＰＬと、ＰＳＲＳ＿ＯＦＦＳＥＴ及びＭＳＲＳとに基づいて、算出される。ここで、ＰＳＲＳ＿ＯＦＦＳＥＴは、ＲＲＣシグナリングなどの上位レイヤシグナリングにより通知されるＳＲＳ用の送信電力オフセットである。ＭＳＲＳは、ＳＲＳ用に割り当てられる帯域幅である。また、ＳＲＳの送信電力の閉ループ制御は、ＰＵＳＣＨと同様に、補正値ｆ（ｉ）に基づいて行われる。
【００３８】
図６Ｃでは、上り制御チャネル（ＰＵＣＣＨ：Physical  Uplink  Control  Channel）の送信電力の算出式が示される。図６Ｃに示すように、ＰＵＣＣＨの送信電力ＰＰＵＣＣＨ（ｉ）は、例えば、式（５）によって算出される。
【００３９】
式（５）に示すように、ＰＵＣＣＨの送信電力の開ループ制御は、ＰＯ＿ＰＵＣＣＨ、ＰＬ、ｈ（ｎＣＱＩ，ｎＨＡＲＱ）、ΔＦ＿ＰＵＣＣＨ（Ｆ）に基づいて行われる。ここで、ＰＯ＿ＰＵＣＣＨは、無線基地局における目標受信電力を満たすための送信電力オフセットである。ＰＬは、ユーザ端末が下り参照信号の受信電力（例えば、ＲＳＲＰ）に基づいて算出する伝搬損失である。ｈ（ｎＣＱＩ，ｎＨＡＲＱ）は、ＰＵＣＣＨフォーマットに依存する値である。ΔＦ＿ＰＵＣＣＨ（Ｆ）は、ＰＵＣＣＨフォーマットに対応し、上位レイヤで通知される値である。
【００４０】
また、ＰＵＣＣＨの送信電力の閉ループ制御は、ｇ（ｉ）に基づいて行われる。ｇ（ｉ）は、ＴＰＣコマンドに基づく補正値である。また、補正値ｇ（ｉ）は、ＴＰＣコマンドが示す送信電力の増減値を累積した累積値であってもよいし、ＴＰＣコマンドが示す送信電力の増減値そのものであってもよい。
【００４１】
なお、図６に示す式（１）（２）（５）や上記式（３）（４）は、例示にすぎず、これに限られない。例えば、式（１）−（５）に示される各種パラメータは、コンポーネントキャリア（セル）毎に設けられてもよい。また、式（１）（２）のＰＯ＿ＰＵＳＣＨ（ｊ）、式（５）のＰＯ＿ＰＵＣＣＨは、総称して、送信電力オフセットＰ０と呼ばれてもよい。また、式（１）（２）のｆ（ｉ）や式（５）のｇ（ｉ）は、総称して補正値ｆと呼ばれてもよい。
【００４２】
以上のような上り送信電力制御をサブフレームセット毎に独立して行う場合、サブフレームセットが変更されることが想定される。具体的には、サブフレームセットを構成するサブフレームが変更されたり、サブフレームセット数が変更されたりすることが想定される。しかしながら、サブフレームセットが変更される場合、変更されたサブフレームセット毎の上り送信電力制御に用いられる制御パラメータを適切に再設定できない恐れがある。
【００４３】
そこで、本発明者らは、サブフレームセット毎に独立して上り送信電力制御を行う場合において、サブフレームセットが変更されても、変更されたサブフレームセット毎の上り送信電力制御に用いられる制御パラメータを適切に再設定可能な送信電力制御方法を検討し、本発明に至った。
【００４４】
本発明の送信電力制御方法において、無線基地局は、少なくとも一つのサブフレームセットの構成情報（以下、サブフレームセット構成情報という）をユーザ端末に送信する。ユーザ端末は、サブフレームセット構成情報を無線基地局から受信する。ユーザ端末は、制御パラメータに基づいて上り信号の送信電力をサブフレームセット毎に制御する。また、ユーザ端末は、サブフレームセット構成情報に基づいてサブフレームセットが変更される場合、制御パラメータを再設定する。
【００４５】
ここで、サブフレームセットとは、無線フレーム内の任意のサブフレームをグループ化して構成される。上り送信電力制御は、サブフレームセット毎に独立して適用される。このため、サブフレームセットは、同一の上り送信電力制御が適用されるサブフレームの集合ともいえ、送信電力制御（ＴＰＣ）サブフレームセットなどと呼ばれてもよい。
【００４６】
サブフレームセットとしては、上述のように、固定サブフレームで構成されるサブフレームセット、フレキシブルサブフレームで構成されるサブフレームセットが設けられるが、これに限られない。サブフレームセットは、無線フレーム内の任意のサブフレームを含むことができるし、サブフレームを含まなくともよい（図５の例２参照）。
【００４７】
また、サブフレームセットは、無線フレーム内の特定のサブフレーム（例えば、下りの固定サブフレーム又は下りサブフレームなど）を除いた任意のサブフレームを含んで構成されてもよい（図５参照）。また、サブフレームセット数は、例えば、２であるが、これに限られず、１であってもよいし（図５の例２参照）、３以上であってもよい。複数フレームに渡るサブフレームをサブフレームセットとして定義してもよい。
【００４８】
また、サブフレームセットの変更とは、サブフレームセットを構成するサブフレームの変更であってもよいし、サブフレームセット数の変更であってもよいし、その双方であってもよい。また、サブフレームの変更とは、サブフレームセットが設定された場合でもよいし、現在適用されているサブフレームセットとは異なるサブフレームセットが設定された場合に限定してもよい。サブフレームセットが設定された場合、制御パラメータは、再設定ではなく、新たに設定されてもよい。
【００４９】
また、上り信号は、ＰＵＳＣＨであってもよいし、ＳＲＳであってもよいし、上り制御チャネル（ＰＵＣＣＨ：Physical  Uplink  Control  Channel）であってもよい。
【００５０】
また、制御パラメータは、閉ループ制御用の補正値ｆ（例えば、式（１）（２）の補正値ｆ（ｉ）や式（５）の補正値ｇ（ｉ））であってもよいし（第１態様）、開ループ制御用のパラメータ（以下、開ループ制御パラメータ）であってもよいし（第２態様）、その双方であってもよい（第１、２態様の組み合わせ）。
【００５１】
また、開ループ制御パラメータは、上り信号の送信電力オフセットＰ０（例えば、式（１）（２）のＰＯ＿ＰＵＳＣＨ（ｊ）や式（５）のＰＯ＿ＰＵＣＣＨ）、係数α（例えば、上記式（１）参照）、ＳＲＳ用の送信電力オフセット（例えば、式（２）のＰＳＲＳ＿ＯＦＦＳＥＴ）の少なくとも一つである。
【００５２】
以下、本発明の送信電力制御方法を詳細に説明する。なお、以下では、図７に示すように、サブフレームセット数が２であり、第１サブフレームセット（subframe  set  #1）がサブフレーム２（固定サブフレーム）で構成され、第２サブフレームセット（subframe  set  #2）がサブフレーム３、７、８（フレキシブルサブフレーム）で構成される場合を説明するが、上述のように、サブフレームセットの構成はこれに限られない。
【００５３】
また、以下では、図７に示すように、サブフレームセット構成情報がＲＲＣシグナリングなどの上位レイヤシグナリングにより、サブフレーム４でユーザ端末に通知され、当該サブフレームセット構成情報に基づいて、サブフレームセットが変更される場合を説明するが、これに限られない。サブフレームセット構成情報は、ＳＩＢなどの報知情報、ＭＡＣ（Medium  Access  Control）シグナリング、下り制御チャネル（ＰＤＣＣＨ又はＥＰＤＣＣＨ）などによりユーザ端末に通知されてもよい。
【００５４】
（第１態様）
図８−１０を参照し、第１態様に係る送信電力制御方法を説明する。具体的には、図８及び９を参照し、サブフレームセット構成情報に基づいてサブフレームセットが変更される場合における閉ループ制御用の補正値ｆの再設定例を説明する。また、図１０を参照し、開ループ制御パラメータが変更される場合における閉ループ制御用の補正値ｆの再設定例を説明する。ここで、サブフレームの変更とは、サブフレームセットが設定された場合でもよいし、現在適用されているサブフレームセットとは異なるサブフレームセットが設定された場合に限定してもよい。また、以下では、閉ループ制御用の補正値を補正値ｆと表記するが、これに限られず、補正値ｇ（補正値ｇ＿１、ｇ＿２を含む）などと表記されてもよい。
【００５５】
図８は、サブフレームセットを構成するサブフレームが変更される場合における補正値ｆの再設定例を示す図である。図８において、ｆ＿１は、第１サブフレームセットの補正値ｆを示し、ｆ＿２は、第２サブフレームセットの補正値ｆを示すものとする。
【００５６】
また、以下において、補正値ｆの初期値は、「０」であるものとするが、初期値は「０」でなくともよい。また、「補正値ｆを初期値に再設定する」ことは、単に、「補正値ｆをリセットする」などと呼ばれてもよい。また、「補正値ｆを現在値に再設定する」ことは、「補正値ｆを継承（keep）する」ことや「補正値ｆを維持する」ことと同義である。
【００５７】
また、「現在値」とは、各サブフレームセットに属する直近のサブフレームの閉ループ制御に用いられた補正値ｆである。例えば、図７に示すように、サブフレーム４でサブフレームセットが変更される場合、第１サブフレームセットの現在値はサブフレーム２の値であり、第２サブフレームセットの現在値はサブフレーム３の値である。
【００５８】
図８Ａに示すように、サブフレームセット構成情報に基づいてサブフレームセットが変更される場合、ユーザ端末は、各サブフレームセットの補正値ｆを初期値に再設定してもよい。例えば、図８Ａでは、サブフレームセットが変更される場合、ユーザ端末は、第１サブフレームセットの補正値ｆ＿１及び第２サブフレームセットの補正値ｆ＿２をそれぞれ初期値「０」に設定する。
【００５９】
上記式（３）に示すように、補正値ｆが、ＴＰＣコマンドが示す送信電力の増減値を累積した累積値である場合、無線基地局とユーザ端末との間で補正値ｆの認識が一致しなくなることが想定される。ユーザ端末の送信電力が上限値である場合、ユーザ端末は、受信したＴＰＣコマンドが示す増減値を累積しないが、無線基地局は、このことを認識できないためである。また、ユーザ端末が、ＴＰＣコマンドを含むＤＣＩを受信できない場合、ユーザ端末は、当該ＴＰＣコマンドが示す増減値を累積しないが、無線基地局は、このことを認識できないためである。
【００６０】
図８Ａに示す場合、各サブフレームセットの補正値ｆを初期値に再設定することにより、サブフレームセットの変更をトリガとして、上述のような無線基地局とユーザ端末との間の補正値ｆの認識の不一致を解消できる。
【００６１】
また、図８Ｂに示すように、サブフレームセット構成情報に基づいてサブフレームセットが変更される場合、ユーザ端末は、特定のサブフレームセットの補正値ｆを継承（現在値に再設定）し、他のサブフレームセットの補正値ｆを初期値に再設定してもよい。例えば、図８Ｂでは、サブフレームセットが変更される場合、ユーザ端末は、第１サブフレームセットの補正値ｆ＿１を継承（現在値ｆ＿１に再設定）し、第２サブフレームセットの補正値ｆ＿２を初期値「０」に再設定する。
【００６２】
図８Ｂに示す場合、干渉レベルの変動が少ないと推定される特定のサブフレームセット（例えば、固定サブフレームで構成される第１サブフレームセット）の補正値ｆを継承（維持）して、干渉レベルの変動が大きいと推定される他のサブフレームセット（例えば、フレキシブルサブフレームで構成される第２サブフレームセット）の補正値ｆだけを初期値に再設定できる。このため、干渉レベルの変動が少ないと推定される特定のサブフレームセットにおいて補正値ｆが初期値に再設定されることにより、不要なブースト（boost）が生じたり、送信電力が不要に低減したりするのを回避できる。
【００６３】
また、図８Ｃに示すように、サブフレームセット構成情報に基づいてサブフレームセットが変更される場合、ユーザ端末は、特定のサブフレームセットの補正値ｆを継承（現在値に再設定）し、他のサブフレームセットの補正値ｆを特定のサブフレームセットの現在値に再設定してもよい。例えば、図８Ｃでは、サブフレームセットが変更される場合、ユーザ端末は、第１サブフレームセットの補正値ｆ＿１を継承（現在値に再設定）し、第２サブフレームセットの補正値ｆ＿２を第１サブフレームセットの補正値ｆ＿１に再設定する。
【００６４】
図８Ｃに示す場合、干渉が少ないと推定される特定のサブフレームセット（例えば、固定サブフレームで構成される第１サブフレームセット）の補正値ｆに他のサブフレームセットの補正値ｆを合わせることで、当該他のサブフレームセットの補正値ｆが初期値に再設定されることにより、不要なブーストが生じるのを回避できる。
【００６５】
また、図８Ｄに示すように、サブフレームセット構成情報に基づいてサブフレームセットが変更される場合、ユーザ端末は、特定のサブフレームセット内で変更されなかったサブフレーム数ａに基づいて、各サブフレームセットの補正値ｆを線形補間して再設定してもよい。例えば、図８Ｄでは、第１サブフレームセットの変更前後において、ａの割合のサブフレームが維持される（変更されない）ものとする。この場合、ユーザ端末は、第１サブフレームセットの補正値ｆ＿１を、「ａ＊ｆ＿１＋（１−ａ）＊ｆ＿２」に再設定してもよい。また、ユーザ端末は、第２サブフレームセットの補正値ｆ＿２を、「（１−ａ）＊ｆ＿１＋ａ＊ｆ＿２」に再設定してもよい。
【００６６】
図８Ｄに示す場合、特定のサブフレームセット内で変更されなかったサブフレーム数に基づいて、各サブフレームセットの補正値ｆが線形補間して再設定されるので、サブフレームセットが変更される場合における補正値ｆの精度をなるべく維持することができる。
【００６７】
また、図８Ｅに示すように、サブフレームセット構成情報に基づいてサブフレームセットが変更される場合、ユーザ端末は、各サブフレームセットの補正値ｆを継承（現在値に再設定）してもよい。例えば、図８Ｅでは、ユーザ端末は、第１サブフレームセットの補正値ｆ＿１及び第２サブフレームセットの補正値ｆ＿２をそれぞれ継承（現在値ｆ＿１及びｆ＿２にそれぞれ再設定）する。
【００６８】
図８Ｅに示す場合、各サブフレームセットの補正値ｆを継承（現在値に再設定）することにより、サブフレームセットの変更が相対的に小さい場合、補正値ｆを準最適に設定することができる。
【００６９】
図９は、サブフレームセット数が変更される場合の補正値ｆの再設定例を示す図である。図９において、ｆ＿１は、第１サブフレームセットの補正値ｆを示し、ｆ＿２は、第２サブフレームセットの補正値ｆを示すものとする。
【００７０】
図９Ａに示すように、サブフレームセット構成情報に基づいてサブフレームセット数が増加する場合、ユーザ端末は、増加したサブフレームセットの補正値ｆを第１サブフレームセットの補正値ｆ＿１に設定してもよい。例えば、図９Ａに示すように、第１サブフレームセットに加えて第２サブフレームセットが設けられる場合、ユーザ端末は、当該第２サブフレームセットの補正値を第１サブフレームセットの補正値ｆ＿１に設定する。なお、図９Ａにおいて、第１及び第２サブフレームセットの補正値は初期値「０」に再設定されてもよい。
【００７１】
また、図９Ｂに示すように、サブフレームセット構成情報に基づいてサブフレームセット数が減少する場合、ユーザ端末は、残されたサブフレームセットの補正値ｆを第１サブフレームセットの補正値ｆ＿１に設定してもよい。例えば、図９Ｂに示すように、第２サブフレームセットが削除される場合、ユーザ端末は、残された第１サブフレームセットの補正値ｆ＿１を継承（現在値に再設定）する。なお、図９Ｂにおいて、第１サブフレームセットの補正値ｆ＿１は初期値「０」に再設定されてもよい。
【００７２】
なお、図示しないが、サブフレームセット構成情報に基づいてサブフレームセット数が増加又は減少する場合、ユーザ端末は、増加又は残されたサブフレームセットの補正値ｆを、無線基地局から通知されるサブフレームセットの補正値ｆに再設定してもよい。なお、当該通知は、ＲＲＣシグナリングなどの上位レイヤシグナリングで行われてもよいし、報知情報や下り制御チャネル（ＰＤＣＣＨ又はＥＰＤＣＣＨ）を用いて行われてもよい。
【００７３】
以上のように、サブフレームセット構成情報に基づいてサブフレームセットが変更される場合、ユーザ端末は、各サブフレームセットの補正値を再設定することができる。なお、ユーザ端末が、図８及び９を参照して説明したいずれの動作を適用するかは、ユーザ端末に予め規定されていてもよいし、ＲＲＣシグナリングなどの上位レイヤシグナリングや報知情報や下り制御チャネル（ＰＤＣＣＨ又はＥＰＤＣＣＨ）によりユーザ端末に通知されてもよい。
【００７４】
図１０は、開ループ制御パラメータが変更される場合の補正値ｆの再設定例を示す図である。なお、開ループ制御パラメータ（Open  loop  PC  parameter）は、上述のように、上り信号の送信電力オフセットＰ０（例えば、式（１）（２）のＰＯ＿ＰＵＳＣＨ（ｊ）や式（５）のＰＯ＿ＰＵＣＣＨ）、係数α（例えば、上記式（１））、ＳＲＳ用の送信電力オフセット（例えば、式（２）のＰＳＲＳ＿ＯＦＦＳＥＴ）の少なくとも一つである。
【００７５】
図１０Ａに示すように、開ループ制御パラメータが変更される場合、ユーザ端末は、各サブフレームセットの補正値ｆを初期値に再設定してもよい。例えば、図１０Ａでは、開ループ制御パラメータが変更される場合、ユーザ端末は、第１サブフレームセットの補正値ｆ＿１及び第２サブフレームセットの補正値ｆ＿２をそれぞれ初期値「０」に再設定する。
【００７６】
また、図１０Ｂに示すように、開ループ制御パラメータが変更される場合、ユーザ端末は、特定のサブフレームセットの補正値ｆを継承（現在値に再設定）し、他のサブフレームセットの補正値ｆを特定のサブフレームセットの現在値に再設定してもよい。例えば、図１０Ｂでは、開ループ制御パラメータが変更される場合、ユーザ端末は、第１サブフレームセットの補正値ｆ＿１を継承（現在値に再設定）し、第２サブフレームセットの補正値ｆ＿２を第１サブフレームセットの補正値ｆ＿１に再設定する。
【００７７】
また、図１０Ｃに示すように、開ループ制御パラメータが変更される場合、ユーザ端末は、各サブフレームセットの補正値ｆを継承（現在値に再設定）してもよい。例えば、図１０Ｃでは、開ループ制御パラメータが変更される場合、ユーザ端末は、第１サブフレームセットの補正値ｆ＿１及び第２サブフレームセットの補正値ｆ＿２をそれぞれ継承（現在値ｆ＿１及びｆ＿２にそれぞれ再設定）する。
【００７８】
以上のように、開ループ制御パラメータが変更される場合、ユーザ端末は、各サブフレームセットの補正値を再設定することができる。なお、ユーザ端末が、図１０を参照して説明したいずれの動作を適用するかは、ユーザ端末に予め規定されていてもよいし、ＲＲＣシグナリングなどの上位レイヤシグナリングや報知情報や下り制御チャネル（ＰＤＣＣＨ又はＥＰＤＣＣＨ）によりユーザ端末に通知されてもよい。
【００７９】
なお、サブフレームセット構成情報に基づいてサブフレームセットが変更される場合（図８及び９）で、かつ、各サブフレームセットの開ループ制御パラメータが変更される場合（図１０）、ユーザ端末は、後者の場合の動作を優先して適用してもよい。なお、後者の動作を優先することは、ユーザ端末に予め規定されていてもよいし、ＲＲＣシグナリングなどの上位レイヤシグナリングや報知情報や下り制御チャネル（ＰＤＣＣＨ又はＥＰＤＣＣＨ）によりユーザ端末に通知されてもよい。
【００８０】
（第２態様）
図１１−１４を参照し、第２態様に係る送信電力制御方法を説明する。サブフレームセット構成情報に基づいてサブフレームセットが変更される場合における開ループ制御パラメータの再設定例を説明する。具体的には、図１１−１３を参照し、サブフレームセットが変更される場合で開ループ制御パラメータがシグナリングされない場合における開ループ制御パラメータの再設定例を説明する。また、図１４を参照し、サブフレームセットが変更される場合で開ループ制御パラメータがシグナリングされる場合における開ループ制御パラメータの再設定例を説明する。ここで、サブフレームの変更とは、サブフレームセットが設定された場合でもよいし、現在適用されているサブフレームセットとは異なるサブフレームセットが設定された場合に限定してもよい。
【００８１】
なお、図１１−１４では、開ループ制御パラメータが、送信電力オフセットＰ０（例えば、式（１）のＰＯ＿ＰＵＳＣＨ（ｊ））と、係数α（例えば、上記式（１））とである場合を説明するが、これらに限られない。開ループ制御パラメータは、ＳＲＳ用の送信電力オフセット（例えば、式（２）のＰＳＲＳ＿ＯＦＦＳＥＴ）を含むこともできる。また、開ループ制御パラメータは、送信電力オフセットＰ０（例えば、式（５）のＰＯ＿ＰＵＣＣＨ）のみであってもよい。
【００８２】
図１１は、開ループ制御パラメータのシグナリングなしに、サブフレームセットを構成するサブフレームが変更される場合の開ループ制御パラメータの再設定例を示す図である。図１１において、Ｐ０＿１、Ｐ０＿２は、それぞれ、第１サブフレームセット、第２サブフレームセットの送信電力オフセット（例えば、式（１）（２）におけるＰＯ＿ＰＵＳＣＨ（ｊ））を示すものとする。また、α＿１、α＿２は、それぞれ、第１サブフレームセット、第２サブフレームセットの係数α（例えば、式（１）（２）におけるα）を示すものとする。
【００８３】
また、以下において、「開ループ制御パラメータを現在値に再設定する」ことは、「開ループ制御パラメータを継承（keep）する」ことや、「開ループ制御パラメータを維持する」ことと同義である。また、「現在値」とは、各サブフレームセットに属する直近のサブフレームの送信電力制御に用いられた開ループ制御パラメータの値である。例えば、図７に示すように、サブフレーム４でサブフレームセットが変更される場合、第１サブフレームセットの現在値はサブフレーム２の値であり、第２サブフレームセットの現在値はサブフレーム３の値である。
【００８４】
図１１Ａに示すように、開ループ制御パラメータのシグナリングなしに、サブフレームセット構成情報に基づいてサブフレームセットが変更される場合、ユーザ端末は、各サブフレームセットの開ループ制御パラメータを継承（現在値に再設定）してもよい。例えば、図１１Ａでは、ユーザ端末は、第１サブフレームセットの送信電力オフセットＰ０＿１及び係数α＿１をそれぞれ継承（現在値に再設定）する。また、ユーザ端末は、第２サブフレームセットの送信電力オフセットＰ０＿２及び係数α＿２をそれぞれ継承（現在値に再設定）する。
【００８５】
図１１Ａに示す場合、各サブフレームセットの開ループ制御パラメータを継承（現在値に再設定）することにより、サブフレームセットの変更が相対的に小さい場合、開ループ制御パラメータ（例えば、送信電力オフセットＰ０、係数α）を準最適に設定することができる。
【００８６】
また、図１１Ｂに示すように、開ループ制御パラメータのシグナリングなしに、サブフレームセット構成情報に基づいてサブフレームセットが変更される場合、ユーザ端末は、特定のサブフレームセットの開ループ制御パラメータを継承（現在値に再設定）し、他のサブフレームセットの開ループ制御パラメータを特定のサブフレームセットの現在値に再設定してもよい。例えば、図１１Ｂでは、ユーザ端末は、第１サブフレームセットの送信電力オフセットＰ０＿１及び係数α＿１をそれぞれ継承（現在値に再設定）する。また、ユーザ端末は、第２サブフレームセットの送信電力オフセットＰ０＿２及び係数α＿２をそれぞれ第１サブフレームセットの送信電力オフセットＰ０＿１及び係数α＿１に再設定する。
【００８７】
図１１Ｂに示す場合、干渉が少ないと推定される特定のサブフレームセット（例えば、固定サブフレームで構成される第１サブフレームセット）の開ループ制御パラメータに他のサブフレームセットの開ループ制御パラメータを合わせることで、当該他のサブフレームセットにおいて、不要なブーストが生じ、隣接セルへの干渉となるのを回避できる。
【００８８】
ところで、開ループ制御パラメータの値は、セル内のユーザ端末共通（cell_specific）の値（すなわち、セル内の全ユーザ端末に共通の値）（以下、ＵＥ共通値という）と、セル内のユーザ端末個別（UE_specific）の値（以下、ＵＥ個別値という）とが、通知され得る。このＵＥ共通値とＵＥ個別値とは、ＲＲＣシグナリングなどの上位レイヤシグナリングを用いてユーザ端末に通知されてもよいし、報知情報や下り制御チャネル（ＰＤＣＣＨ又はＥＰＤＣＣＨ）を用いてユーザ端末に通知されてもよい。
【００８９】
開ループ制御パラメータのシグナリングなしに、サブフレームセットが変更される場合、ＵＥ共通値又はＵＥ個別値のいずれかを用いて開ループ制御パラメータを再設定してもよいし、ＵＥ共通値及びＵＥ個別値の双方を用いて開ループ制御パラメータを再設定してもよい。
【００９０】
図１２は、ＵＥ共通値及び／又はＵＥ個別値を用いた開ループ制御パラメータの再設定例を示す図である。図１２では、送信電力オフセットＰ０についてＵＥ共通値（Ｐ０＿ｎｏｒｍａｌ１、Ｐ０＿ｎｏｒｍａｌ２）とＵＥ個別値（Ｐ０＿１、Ｐ０＿２）とが通知される場合を説明するが、これに限られない。係数αやＳＲＳ用の送信電力オフセットについてもＵＥ共通値とＵＥ個別値とが通知されてもよいことは勿論である。
【００９１】
図１２Ａに示すように、開ループ制御パラメータのシグナリングなしに、サブフレームセットが変更される場合、ユーザ端末は、各サブフレームセットの開ループ制御パラメータをＵＥ共通値に再設定してもよい。例えば、図１２Ａでは、ユーザ端末は、第１サブフレームセットの送信電力オフセットをＵＥ共通値Ｐ０＿ｎｏｒｍａｌ１に再設定する。同様に、ユーザ端末は、第２サブフレームセットの送信電力オフセットをＵＥ共通値Ｐ０＿ｎｏｒｍａｌ２に再設定する。なお、係数αについては、図１１Ａと同様であるため、説明を省略する。
【００９２】
図１２Ａに示す場合、開ループ制御パラメータがＵＥ共通値に再設定されるので、ユーザ端末間で不要な送信電力オフセットが生じ、隣接セルへの干渉や送信電力の不足を回避できる。
【００９３】
また、図１２Ｂに示すように、開ループ制御パラメータのシグナリングなしに、サブフレームセットが変更される場合、ユーザ端末は、各サブフレームセットの開ループ制御パラメータを継承（ＵＥ共通値とＵＥ個別値との合計値である現在値）に再設定してもよい。例えば、図１２Ａでは、ユーザ端末は、第１サブフレームセットの送信電力オフセットをＵＥ共通値Ｐ０＿ｎｏｒｍａｌ１とＵＥ個別値Ｐ０＿１との合計値に再設定する。同様に、ユーザ端末は、第２サブフレームセットの送信電力オフセットをＵＥ共通値Ｐ０＿ｎｏｒｍａｌ２とＵＥ個別値Ｐ０＿２との合計値に再設定する。なお、係数αについては、図１１Ａと同様であるため、説明を省略する。
【００９４】
図１２Ｂに示す場合、各サブフレームセットの開ループ制御パラメータを継承（ＵＥ共通値及びＵＥ個別値との合計値である現在値に再設定）することにより、サブフレームセットの変更が相対的に小さい場合、開ループ制御パラメータを準最適に設定することができる。
【００９５】
図１３は、サブフレームセット数が変更される場合の開ループ制御パラメータの再設定例を示す図である。図１３Ａに示すように、開ループ制御パラメータのシグナリングなしに、サブフレームセット数が増加する場合、ユーザ端末は、増加したサブフレームセットの開ループ制御パラメータを第１サブフレームセットの開ループ制御パラメータの値に設定してもよい。
【００９６】
例えば、図１３Ａに示すように、第１サブフレームセットに加えて第２サブフレームセットが設けられる場合、ユーザ端末は、当該第２サブフレームセットの送信電力オフセットを第１サブフレームセットの送信電力オフセットＰ０＿１に設定する。また、ユーザ端末は、第２サブフレームセットの係数αを第１サブフレームセットの係数α＿１に設定する。
【００９７】
また、図１３Ｂに示すように、開ループ制御パラメータのシグナリングなしに、サブフレームセット数が減少する場合、ユーザ端末は、残されたサブフレームセットの開ループ制御パラメータを第１サブフレームセットの開ループ制御パラメータの値に設定してもよい。例えば、図１３Ｂに示すように、第２サブフレームセットが削除される場合、ユーザ端末は、残された第１サブフレームセットの送信電力制御パラメータＰ０＿１及び係数α＿１を継承（現在値に再設定）する。
【００９８】
以上のように、開ループ制御パラメータのシグナリングなしに、サブフレームセットが変更される場合、ユーザ端末は、開ループ制御パラメータをシグナリングせずとも、各サブフレームセットの開ループ制御パラメータの値を適切に再設定することができる。なお、ユーザ端末が、図１１−１３を参照して説明したいずれの動作を適用するかは、ユーザ端末に予め規定されていてもよいし、ＲＲＣシグナリングなどの上位レイヤシグナリングや報知情報や下り制御チャネル（ＰＤＣＣＨ又はＥＰＤＣＣＨ）によりユーザ端末に通知されてもよい。
【００９９】
図１４は、開ループ制御パラメータのシグナリングとともにサブフレームセットが変更される場合の開ループ制御パラメータの再設定例を示す図である。なお、開ループ制御パラメータは、ＲＲＣシグナリングなどの上位レイヤシグナリングによりユーザ端末に通知されるものとするが、報知情報や下り制御チャネル（ＰＤＣＣＨ又はＥＰＤＣＣＨ）によりユーザ端末に通知されてもよい。
【０１００】
図１４に示すように、開ループ制御パラメータのシグナリングとともにサブフレームセットが変更される場合、ユーザ端末は、各サブフレームセットの開ループ制御パラメータをシグナリングされた開ループ制御パラメータの値に再設定する。例えば、図１４では、ユーザ端末は、第１サブフレームセットの送信電力オフセットＰ０＿１及び係数α＿１をそれぞれシグナリングされたＰ０＿１及びα＿１に再設定する。同様に、ユーザ端末は、ユーザ端末は、第２サブフレームセットの送信電力オフセットＰ０＿２及び係数α＿２をそれぞれシグナリングされたＰ０＿２及びα＿２に再設定する。
【０１０１】
（無線通信システムの構成）
以下、本実施の形態に係る無線通信システムの構成について説明する。この無線通信システムでは、上述の第１−２態様に係る送信電力制御方法が適用される。なお、第１−２態様に係る送信電力制御方法は、組み合わせて適用されてもよいし、単独で適用されてもよい。
【０１０２】
図１５は、本実施の形態に係る無線通信システムの概略構成図である。図１５に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。ユーザ端末２０は、マクロ基地局１１、スモール基地局１２ａ及び１２ｂ（以下、総称してスモール基地局１２という）の少なくとも一つと無線通信可能に構成されている。なお、マクロ基地局１１、スモール基地局１２の数は、図１５に示す数に限られない。
【０１０３】
マクロセルＣ１及びスモールセルＣ２では、同一の周波数帯が用いられてもよいし、異なる周波数帯が用いられてもよい。また、マクロ基地局１１及び各スモール基地局１２は、光ファイバなどの相対的に高速の回線（ideal  backhaul）で接続されてもよいし、Ｘ２インタフェースなど相対的に低速の回線（non-ideal backhaul）で接続されてもよい。
【０１０４】
高速の回線で接続される場合、マクロ基地局１１の少なくとも１つのＣＣとスモール基地局１２の少なくとも１つのＣＣを統合する基地局内キャリアアグリゲーション（intra-eNB  CAなど）が行われてもよい。低速の回線で接続される場合、マクロ基地局１１の少なくとも１つのＣＣとスモール基地局１２の少なくとも１つのＣＣとの間で基地局間キャリアアグリゲーション（inter-eNB  CA、Inter-site  CAなど）が行われてもよい。なお、ＣＣは、セル、周波数帯などと呼ばれてもよい。
【０１０５】
また、マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【０１０６】
なお、マクロ基地局１１は、相対的に広いカバレッジを有する無線基地局であり、ｅＮｏｄｅＢ（ｅＮＢ）、無線基地局、送信ポイント（transmission  point）などと呼ばれてもよい。スモール基地局１２は、局所的なカバレッジを有する無線基地局であり、ＲＲＨ（Remote  Radio  Head）、ピコ基地局、フェムト基地局、Ｈｏｍｅ  ｅＮｏｄｅＢ、送信ポイント、ｅＮｏｄｅＢ（ｅＮＢ）などと呼ばれてもよい。ユーザ端末２０は、ＬＴＥ、ＬＴＥ−Ａなどの各種通信方式に対応した端末であり、移動通信端末だけでなく固定通信端末を含んでよい。
【０１０７】
無線通信システム１では、複信方式として、周波数分割複信（ＦＤＤ）又は／及び時間分割複信（ＴＤＤ）方式が適用される。また、ＴＤＤ方式が適用される場合、無線フレーム内における上りサブフレームと下りサブフレームとの構成（比率）を示すＵＬ−ＤＬ構成（例えば、図１）が用いられる。
【０１０８】
また、無線通信システム１では、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。
【０１０９】
また、無線通信システム１では、下りリンクの通信チャネルとして、各ユーザ端末２０で共有される下り共有チャネル（ＰＤＳＣＨ：Physical Downlink Shared Channel）と、下り制御チャネル（ＰＤＣＣＨ：Physical  Downlink  Control  Channel、ＥＰＤＣＣＨ：Enhanced  Physical  Downlink  Control  Channel）、ＰＣＦＩＣＨ、ＰＨＩＣＨ、報知チャネル（ＰＢＣＨ）などが用いられる。ＰＤＳＣＨにより、ユーザデータや上位レイヤ制御情報が伝送される。ＰＤＣＣＨ、ＥＰＤＣＣＨにより、下り制御情報（ＤＣＩ）が伝送される。なお、ＥＰＤＣＣＨは、ＰＤＳＣＨと周波数分割多重される。
【０１１０】
また、無線通信システム１では、上りリンクの通信チャネルとして、各ユーザ端末２０で共有される上り共有チャネル（ＰＵＳＣＨ：Physical  Uplink  Shared  Channel）と、上り制御チャネル（ＰＵＣＣＨ：Physical  Uplink  Control  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）や、送達確認情報（ＡＣＫ/ＮＡＣＫ）等が伝送される。また、無線通信システム１では、上りリンクの参照信号として、サウンディング参照信号（ＳＲＳ：Sounding  Reference  Signal）などが用いられる。
【０１１１】
以下、マクロ基地局１１及びスモール基地局１２を区別しない場合、無線基地局１０と総称する。図１６及び１７を参照し、本実施の形態に係る無線基地局１０及びユーザ端末２０の全体構成を説明する。
【０１１２】
図１６は、本実施の形態に係る無線基地局１０の全体構成図である。無線基地局１０は、ＭＩＭＯ伝送のための複数の送受信アンテナ１０１と、アンプ部１０２と、送受信部１０３（送信部、受信部）と、ベースバンド信号処理部１０４と、呼処理部１０５と、伝送路インタフェース１０６とを備えている。
【０１１３】
下りリンクにより無線基地局１０からユーザ端末２０に送信されるユーザデータは、上位局装置３０から伝送路インタフェース１０６を介してベースバンド信号処理部１０４に入力される。
【０１１４】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【０１１５】
各送受信部１０３は、ベースバンド信号処理部１０４からアンテナ毎にプリコーディングして出力された下り信号を無線周波数帯に変換する。アンプ部１０２は、周波数変換された無線周波数信号を増幅して送受信アンテナ１０１により送信する。
【０１１６】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１１７】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インタフェース１０６を介して上位局装置３０に転送される。呼処理部１０５は、通信チャネルの設定や解放等の呼処理や、無線基地局１０の状態管理や、無線リソースの管理を行う。
【０１１８】
図１７は、本実施の形態に係るユーザ端末２０の全体構成図である。ユーザ端末２０は、ＭＩＭＯ伝送のための複数の送受信アンテナ２０１と、アンプ部２０２と、送受信部２０３（送信部、受信部）と、ベースバンド信号処理部２０４と、アプリケーション部２０５とを備えている。なお、ユーザ端末２０は、１つの受信回路（ＲＦ回路）により、受信周波数を切り替えてもよいし、複数の受信回路を有していてもよい。
【０１１９】
下り信号については、複数の送受信アンテナ２０１で受信された無線周波数信号がそれぞれアンプ部２０２で増幅され、送受信部２０３で周波数変換され、ベースバンド信号処理部２０４に入力される。ベースバンド信号処理部２０４では、ＦＦＴ処理や、誤り訂正復号、再送制御の受信処理等がなされる。この下り信号に含まれるユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【０１２０】
一方、上りリンクのユーザデータについては、アプリケーション部２０５からベースバンド信号処理部２０４に入力される。ベースバンド信号処理部２０４では、再送制御（Ｈ−ＡＲＱ（Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力された上り信号（ＰＵＳＣＨ、ＳＲＳ、ＰＵＣＣＨを含む）を無線周波数に変換する。その後、アンプ部２０２は、周波数変換された無線周波数信号を増幅して送受信アンテナ２０１により送信する。
【０１２１】
次に、図１８、１９を参照し、無線基地局１０及びユーザ端末２０の詳細構成について説明する。図１８に示す無線基地局１０の詳細構成は、主に、ベースバンド信号処理部１０４によって構成される。また、図１９に示すユーザ端末２０の詳細構成は、主に、ベースバンド信号処理部２０４によって構成される。
【０１２２】
図１８は、本実施の形態に係る無線基地局１０の詳細構成図である。図１８に示すように、無線基地局１０は、測定部３０１、ＴＰＣコマンド生成部３０２、開ループ制御パラメータ生成部３０３、サブフレームセット構成情報生成部３０４を具備する。
【０１２３】
測定部３０１は、ユーザ端末からの上り信号の受信品質（例えば、ＲＳＲＱ：Reference  Signal  Received  Quality）を測定する。測定部３０１は、測定結果をＴＰＣコマンド生成部３０２に出力する。
【０１２４】
ＴＰＣコマンド生成部３０２は、測定部３０１による測定結果に基づいて、閉ループ制御に用いられるＴＰＣコマンドを生成する。上述のように、ＴＰＣコマンドは、上り信号の送信電力の増減値を示す。また、上り信号は、ＰＵＳＣＨであってもよいし、ＳＲＳであってもよいし、ＰＵＣＣＨであってもよい。
【０１２５】
具体的には、ＴＰＣコマンド生成部３０２は、後述するサブフレームセット構成情報生成部３０４からのサブフレームセット構成情報に基づいて、各サブフレームセットのＴＰＣコマンドを生成する。なお、ＴＰＣコマンドは、サブフレームセット毎に限られず、全サブフレームセットに共通であってもよい。
【０１２６】
生成されたＴＰＣコマンドは、送受信部１０３に出力され、下り制御チャネル（ＰＤＣＣＨ又はＥＰＤＣＣＨ）を用いてユーザ端末２０に送信される。また、ＴＰＣコマンド生成部３０２は、累積モードにおいて、ＴＰＣコマンドが示す増減値を累積し（上記式（３）参照）、累積値に基づいてＴＰＣコマンドを生成してもよい。
【０１２７】
開ループ制御パラメータ生成部３０３は、開ループ制御に用いられる開ループ制御パラメータを生成する。上述のように、開ループ制御パラメータは、上り信号の送信電力オフセットＰ０（例えば、式（１）（２）のＰＯ＿ＰＵＳＣＨ（ｊ）や式（５）のＰＯ＿ＰＵＣＣＨ）、係数α（例えば、上記式（１）のα）、ＳＲＳ用の送信電力オフセット（例えば、式（２）のＰＳＲＳ＿ＯＦＦＳＥＴ）の少なくとも一つであってもよい。
【０１２８】
具体的には、開ループ制御パラメータ生成部３０３は、後述するサブフレームセット構成情報生成部３０４からのサブフレームセット構成情報に基づいて、各サブフレームセットの開ループ制御パラメータを生成する。
【０１２９】
生成された開ループ制御パラメータは、送受信部１０３に出力され、ＲＲＣシグナリングなどの上位レイヤシグナリングを用いてユーザ端末２０に送信される。なお、開ループ制御パラメータは、上位レイヤシグナリングに限られず、報知情報や下り制御チャネル（ＰＤＣＣＨ又はＥＰＤＣＣＨ）を用いてユーザ端末２０に送信されてもよい。また、開ループ制御パラメータの値は、上述のＵＥ共通値及びＵＥ個別値を含んでもよい。
【０１３０】
サブフレームセット構成情報生成部３０４は、サブフレームセットの構成を示すサブフレームセット構成情報を生成する。上述のように、サブフレームセットは、無線フレーム内の任意のサブフレームをグループ化して構成され（例えば、図５参照）、上り信号の送信電力の切り替え単位となる。また、サブフレームセットは、固定サブフレーム及びフレキシブルサブフレームをそれぞれグループ化して構成されてもよい。サブフレームセット構成情報は、サブフレームセットを構成するサブフレーム、サブフレームセット数の少なくとも一つを示す。
【０１３１】
生成されたサブフレームセット構成情報は、送受信部１０３に出力され、ＲＲＣシグナリングなどの上位レイヤシグナリングを用いてユーザ端末２０に送信される。なお、サブフレームセット構成情報は、上位レイヤシグナリングに限られず、報知情報や下り制御チャネル（ＰＤＣＣＨ又はＥＰＤＣＣＨ）を用いてユーザ端末２０に送信されてもよい。
【０１３２】
図１９は、本実施の形態に係るユーザ端末２０の詳細構成図である。図１９に示すように、ユーザ端末２０は、送信電力制御部４０１（制御部）、ＴＰＣコマンド取得部４０２、開ループ制御パラメータ取得部４０３、サブフレームセット構成情報取得部４０４、再設定部４０５（制御部）を具備する。
【０１３３】
送信電力制御部４０１は、制御パラメータに基づいて上り信号（ＰＵＳＣＨ、ＳＲＳ、ＰＵＣＣＨなど）の送信電力をサブフレームセット毎に制御する。上述のように、制御パラメータは、閉ループ制御用の補正値ｆ（例えば、式（１）（２）の補正値ｆ（ｉ）や式（５）の補正値ｇ（ｉ））であってもよいし（第１態様）、開ループ制御パラメータであってもよいし（第２態様）、その双方であってもよい（第１、２態様の組み合わせ）。
【０１３４】
具体的には、送信電力制御部４０１は、ＴＰＣコマンドに基づいて決定される補正値ｆに基づいて、上り信号の送信電力をサブフレームセット毎に制御する（閉ループ制御）。補正値ｆは、ＴＰＣコマンドが示す増減値を累積した累積値であってもよいし（累積モード、例えば、式（３））、ＴＰＣコマンドが示す増減値そのものであってもよいし（非累積モード、例えば、式（４））。
【０１３５】
また、送信電力制御部４０１は、開ループ制御パラメータに基づいて、上り信号の送信電力をサブフレームセット毎に制御する（開ループ制御）。上述のように、開ループ制御パラメータは、上り信号の送信電力オフセットＰ０（例えば、式（１）（２）のＰＯ＿ＰＵＳＣＨ（ｊ）や式（５）のＰＯ＿ＰＵＣＣＨ）、係数α（例えば、上記式（１）のα）、ＳＲＳ用の送信電力オフセット（例えば、式（２）のＰＳＲＳ＿ＯＦＦＳＥＴ）の少なくとも一つであってもよい。
【０１３６】
ＴＰＣコマンド取得部４０２は、無線基地局１０から伝送されたＴＰＣコマンドを取得する。具体的には、送受信部２０３は、下り制御チャネル（ＰＤＣＣＨ又はＥＰＤＣＣＨのサーチスペース）をブラインド復号して、ＤＣＩを受信する。ＴＰＣコマンド取得部４０２は、当該ＤＣＩに含まれるＴＰＣコマンドを取得し、送信電力制御部４０１に出力する。
【０１３７】
開ループ制御パラメータ取得部４０３は、無線基地局１０から伝送された開ループ制御パラメータを取得する。具体的には、送受信部２０３は、ＲＲＣシグナリングなどの上位レイヤシグナリングにより伝送される開ループ制御パラメータを受信する。開ループ制御パラメータ取得部４０３は、当該開ループ制御パラメータを取得し、送信電力制御部４０１に出力する。なお、送受信部２０３は、上位レイヤシグナリングに限られず、報知情報や下り制御チャネル（ＰＤＣＣＨ又はＥＰＤＣＣＨ）により伝送される開ループ制御パラメータを取得してもよい。
【０１３８】
サブフレームセット構成情報取得部４０４は、無線基地局１０から伝送されたサブフレームセット構成情報を取得する。上述の通り、サブフレームセット構成情報は、サブフレームセットを構成するサブフレーム、サブフレームセット数の少なくとも一つを示す。
【０１３９】
具体的には、送受信部２０３は、ＲＲＣシグナリングなどの上位レイヤシグナリングにより伝送されるサブフレームセット構成情報を受信する。サブフレームセット構成情報取得部４０４は、当該サブフレームセット構成情報を取得し、再設定部４０５に出力する。なお、送受信部２０３は、上位レイヤシグナリングに限られず、報知情報や下り制御チャネル（ＰＤＣＣＨ又はＥＰＤＣＣＨ）により伝送されるサブフレームセット構成情報を受信してもよい。
【０１４０】
再設定部４０５は、サブフレームセット構成情報に基づいてサブフレームセットが変更される場合、制御パラメータを再設定する。上述のように、制御パラメータは、閉ループ制御用の補正値ｆ（例えば、式（１）（２）の補正値ｆ（ｉ）や式（５）の補正値ｇ（ｉ））であってもよいし（第１態様）、開ループ制御パラメータであってもよいし（第２態様）、その双方であってもよい（第１、２態様の組み合わせ）。また、サブフレームセットの変更とは、サブフレームセットを構成するサブフレームの変更であってもよいし、サブフレームセット数の変更であってもよいし、その双方であってもよい。また、サブフレームの変更とは、サブフレームセットが設定された場合でもよいし、現在適用されているサブフレームセットとは異なるサブフレームセットが設定された場合に限定してもよい。サブフレームセットが設定された場合、再設定部４０５は、制御パラメータを再設定する代わりに、新たに設定してもよい。
【０１４１】
具体的には、再設定部４０５は、サブフレームセット構成情報に基づいてサブフレームセットが変更される場合、図８Ａ−８Ｅを参照して説明したいずれかの方法を用いて各サブフレームセットの補正値ｆを再設定してもよい。なお、いずれの方法を用いるかは、予め規定されていてもよいし、ＲＲＣシグナリングなどの上位レイヤシグナリングや、報知情報や下り制御チャネル（ＰＤＣＣＨ又はＥＰＤＣＣＨ）を用いて通知されてもよい。
【０１４２】
また、再設定部４０５は、サブフレームセット構成情報に基づいてサブフレームセット数が増加する場合、図９Ａを参照して説明したように、増加したサブフレームセットの補正値ｆを第１サブフレームセットの補正値ｆ＿１に設定してもよい。また、再設定部４０５は、サブフレームセット構成情報に基づいてサブフレームセット数が減少する場合、図９Ｂを参照して説明したように、残されたサブフレームセットの補正値ｆを第１サブフレームセットの補正値ｆ＿１に設定してもよい。
【０１４３】
また、再設定部４０５は、開ループ制御パラメータが変更される場合、図１０Ａ―１０Ｃを参照して説明したいずれかの方法を用いて各サブフレームセットの補正値ｆを再設定してもよい。なお、いずれの方法を用いるかは、予め規定されていてもよいし、ＲＲＣシグナリングなどの上位レイヤシグナリングや、報知情報や下り制御チャネル（ＰＤＣＣＨ又はＥＰＤＣＣＨ）を用いて通知されてもよい。
【０１４４】
また、再設定部４０５は、サブフレームセット構成情報に基づいてサブフレームセットが変更される場合（図８及び９）で、かつ、開ループ制御パラメータが変更される場合（図１０）、ユーザ端末は、後者の場合の動作を優先して適用してもよい。なお、後者の動作を優先することは、ユーザ端末に予め規定されていてもよいし、ＲＲＣシグナリングなどの上位レイヤシグナリングや報知情報や下り制御チャネル（ＰＤＣＣＨ又はＥＰＤＣＣＨ）によりユーザ端末に通知されてもよい。
【０１４５】
また、再設定部４０５は、開ループ制御パラメータのシグナリングなしに、サブフレームセット構成情報に基づいてサブフレームセットが変更される場合、図１１Ａ−１１Ｂを参照して説明したいずれかの方法を用いて、各サブフレームセットの開ループ制御パラメータを再設定してもよい。なお、いずれの方法を用いるかは、予め規定されていてもよいし、ＲＲＣシグナリングなどの上位レイヤシグナリングや、報知情報や下り制御チャネル（ＰＤＣＣＨ又はＥＰＤＣＣＨ）を用いて通知されてもよい。
【０１４６】
また、再設定部４０５は、開ループ制御パラメータのシグナリングなしに、サブフレームセット構成情報に基づいてサブフレームセットが変更される場合、図１２Ａ−１２Ｂを参照して説明したように、ＵＥ共通値又はＵＥ個別値のいずれかを用いて開ループ制御パラメータを再設定してもよいし、ＵＥ共通値及びＵＥ個別値の双方を用いて開ループ制御パラメータを再設定してもよい。なお、いずれの方法を用いるかは、予め規定されていてもよいし、ＲＲＣシグナリングなどの上位レイヤシグナリングや、報知情報や下り制御チャネル（ＰＤＣＣＨ又はＥＰＤＣＣＨ）を用いて通知されてもよい。
【０１４７】
また、再設定部４０５は、開ループ制御パラメータのシグナリングなしに、サブフレームセット数が増加する場合、図１３Ａで説明したように、増加したサブフレームセットの開ループ制御パラメータを第１サブフレームセットの開ループ制御パラメータの値に設定してもよい。また、再設定部４０５は、開ループ制御パラメータのシグナリングなしに、サブフレームセット数が減少する場合、図１３Ｂで説明したように、残されたサブフレームセットの開ループ制御パラメータを第１サブフレームセットの開ループ制御パラメータの値に設定してもよい。
【０１４８】
また、再設定部４０５は、開ループ制御パラメータのシグナリングとともにサブフレームセットが変更される場合、図１４に示すように、各サブフレームセットの開ループ制御パラメータをシグナリングされた開ループ制御パラメータの値に再設定してもよい。
【０１４９】
本実施の形態に係る無線通信システム１によれば、サブフレームセット毎の上り送信電力制御を適切に行うことができる。具体的には、サブフレームセット毎に独立して上り送信電力制御を行う場合において、サブフレームセットが変更されても、変更されたサブフレームセット毎の上り送信電力制御に用いられる制御パラメータを適切に再設定できる。
【０１５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。また、各実施の態様は適宜組み合わせて適用することが可能である。
【符号の説明】
【０１５１】
１…無線通信システム、
１０…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インタフェース
２０１…送受信アンテナ
２０２…アンプ部
２０３…送受信部
２０４…ベースバンド信号処理部
２０５…アプリケーション部
３０１…測定部
３０２…ＴＰＣコマンド生成部
３０３…開ループ制御パラメータ生成部
３０４…サブフレームセット構成情報生成部
４０１…送信電力制御部
４０２…ＴＰＣコマンド取得部
４０３…開ループ制御パラメータ取得部
４０４…サブフレームセット構成情報取得部
４０５…再設定部
【図１】
2015139101.tif 000005
【図２】
2015139101.tif 000006
【図３】
2015139101.tif 000007
【図４】
2015139101.tif 000008
【図５】
2015139101.tif 000009
【図６】
2015139101.tif 000010
【図７】
2015139101.tif 000011
【図８】
2015139101.tif 000012
【図９】
2015139101.tif 000013
【図１０】
2015139101.tif 000014
【図１１】
2015139101.tif 000015
【図１２】
2015139101.tif 000016
【図１３】
2015139101.tif 000017
【図１４】
2015139101.tif 000018
【図１５】
2015139101.tif 000019
【図１６】
2015139101.tif 000020
【図１７】
2015139101.tif 000021
【図１８】
2015139101.tif 000022
【図１９】
2015139101.tif 000023